(57)【要約】【課題】  おからの新規な用途を提供する。【解決手段】  消火器１０は、ポリエチレンフィルムからなる密閉袋１１の内に消火剤が充填されて構成されている。使用時にはこの消火器１０が、てんぷら鍋２０内に投入されると、袋１１が破れて、中の消火剤が袋１１の外に出て、てんぷら鍋２０の油表面上に広がり、消化剤による冷却作用や空気遮断作用によって消火される。【選択図】    図１
2006212346.tif 000002
【特許請求の範囲】
【請求項１】
おからに水が含有されてなることを特徴とする消火剤。
【請求項２】
前記おからの乾燥重量に対する水の含有量の比率が１〜４であることを特徴とする請求項１記載の消火剤。
【請求項３】
保存剤が含有されていることを特徴とする請求項１または２記載の消火剤。
【請求項４】
ホウ酸、ソルビン酸、あるいはそれらの塩が含有されていることを特徴とする請求項３記載の消火剤。
【請求項５】
請求項１〜４のいずれか記載の消火剤が、容器に収納されてなる消火器。
【請求項６】
前記容器は、その少なくとも一部がフィルムで形成されていることを特徴とする請求項５記載の消火器。
【請求項７】
おからに、水及びホウ酸の少なくとも一方が含有されてなる防炎剤。
【請求項８】
前記おからが、粒子状であることを特徴とする請求項７記載の防炎剤。
【請求項９】
請求項７または８記載の防炎剤が、シート体に含有または密着された防炎シート。
【請求項１０】
請求項７または８記載の防炎剤が、繊維基材に含有または密着されてなることを特徴とする防炎繊維。
【請求項１１】
請求項７または８記載の防炎剤が、バインダと混合されてなることを特徴とする防炎塗料。
【発明の詳細な説明】
【技術分野】
【０００１】
本発明は、おからを用いた消火剤、消火器ならびに難燃剤、防炎シート、難燃繊維に関する。
【背景技術】
【０００２】
おからは、豆腐類の製造に伴って排出される。
日本ではおからが年間数十万トン発生しているが、このおからを、有効利用するための研究もなされている。
例えば特許文献１に示されているように、おからを、乾燥・加工処理することによって、食品材料や家畜飼料等として商品化する研究が進められている。
【０００３】
また、特許文献２には、おからなどの植物性繊維を用いて、水面上に浮遊した油を吸収する技術が開示されている。
【特許文献１】特開２００４−２３６６１１号公報
【特許文献２】特開２００４−１６７４８１号公報
【発明の開示】
【発明が解決しようとする課題】
【０００４】
しかしながら、今のところ、おからはその生産量に比べて需要量が少なく、実際には発生したおからを如何に処理するかに困り、焼却処分しているところも多い。
このような背景のもとで、おからの新しい用途を開発して有効利用することが社会的にも望まれている。
そこで、本発明者は、おからの有効利用を促進するとともに、おから処理に対する負担を低減するために、おからの新規な用途を開発することを目指して創意工夫をこらすことによって、本発明に到ったものである。
【０００５】
本発明は、上記の課題に鑑み、おからの新規な用途を提供することによって、おからの有効利用を促進するとともに、おから処理に対する負担を低減することを目的とする。
【課題を解決するための手段】
【０００６】
上記目的を達成するために、本発明は、おからに水を含有させて消火剤として用いることとした。
おからの乾燥重量１に対する水の含有量は１〜４であることが好ましい。
またこのような消火剤に、保存剤を含有させることが好ましい。
保存剤としては、ホウ酸、ソルビン酸、あるいはそれらの塩が挙げられる。
【０００７】
本発明では、上記のような消火剤を容器に収納したものを消火器として用いることととした。
この消火剤を収納する容器は、その少なくとも一部をフィルムで形成することが好ましい。
また、縦型構造物の消火には、消火剤を使用するときに水を加えて縣濁液とし、燃焼物に放射することが好ましい。
【０００８】
上記目的を達成するために、本発明では、おからに、水及びホウ酸の少なくとも一方を含有させて、防炎剤として用いることとした。
用いるおからは粒子状であることが好ましい。
本発明では、上記のような防炎剤を、シート体に含有または密着させて防炎シートとして用いることとした。
【０００９】
あるいは上記のような防炎剤を、繊維基材に含有または密着させて防炎繊維として用いてもよい。
あるいは、上記のような防炎剤をバインダと混合して、防炎塗料として用いてもよい。
【発明の効果】
【００１０】
上記本発明の消火剤は、燃焼物に投入されると、おからに含有されている水が蒸発する気化熱で、燃焼物を冷却する。また、投入された消火剤や水蒸気が、燃焼物を空気から遮断する。このような冷却作用や空気遮断作用によって消火される。
また、本発明の消火剤は油火災にも適しており、油火災に使用した場合も、おからが親油性と親水性の両方を持っているため、おからに含まれている水分が蒸発するときに油が飛散しにくい。
【００１１】
また、おからに油が吸収されるので、使用後の処理を安全に行うことができる。
消火剤に保存剤を含有させておけば、消火剤が腐ることなく長期間保存できる。
上記の消火剤を容器に収納したものを消火器として用いることができる。
この場合、消火剤が容器に収納されているため、水分が失われることなく保存できる。そして、使用時には、容器から消火剤を取り出して燃焼物に投入してもよいし、容器ごと投入してもよい。
【００１２】
容器の少なくとも一部をフィルムで形成すれば、容器ごと投入したときに、フィルムが破れて容器中の消火剤が容器から飛び出して燃焼物を消火する。
縦型構造物の消火には、消火剤を使用するときに水を加えて縣濁液とすれば、ホースなどで燃焼物に放射することができ効果的である。
食品廃棄物であるおからを利用して消火剤の原料として用いているので、消火器を安価に製造する事ができる。また、おからは人体に無害であり、取扱いが容易である。
【００１３】
上記本発明の防炎剤は、シート体に含有させたり密着させることによって、シート体を燃えにくくする働きがある。
従って、この防炎剤を用いて防炎シート、防炎繊維、防炎塗料を容易に形成することができる。
このように防炎シートや防炎繊維に用いるおからは、細かい粒子状であることが好ましい。
【発明を実施するための最良の形態】
【００１４】
〔実施の形態１〕
本実施形態では、おからを消火剤に用いる例について説明する。
図１は、本発明の実施形態にかかる消火剤を用いて油火災を消火する例を示す図である。
図１に示すように、消火器１０は、可燃性フィルム或は熱溶融性フィルム（例えば厚さ０．０１〜０．０２ｍｍのポリエチレンフィルム）からなる密閉袋１１の内に消火剤が充填されて構成されており、使用時にはこの消火器１０が燃焼物に投入される。
【００１５】
消火器１０は、開口部を有する袋１１を準備し、その開口部分から消火剤を充填し、開口部分を封口することによって作製される。開口部分の封止は、ひもや輪ゴムなどで巻き絞めてもよいし、袋の開口部分を封着してもよい。
乾燥おからは市販されており、通常その粒子径が１０〜１００メッシュ（平均粒径で２ｍｍ〜１５０μｍ程度）であって、水分含有量は１０％未満であるが、本実施形態の消火器１０に含まれる消化剤は、この乾燥おからよりも多くの水分が含まれており、乾燥おから１重量部に対して水分が１〜４重量部の範囲内で含有させることが適している。特に、乾燥おから１重量部に対して水を２重量部程度含有させるのが好ましい。
【００１６】
消火器１０を保管中に消火剤が腐敗するのを防止するために、消火剤にはソルビン酸（Ｃ6Ｈ8Ｏ2）やホウ酸（Ｈ3ＢＯ3）といった保存剤を添加することが好ましく、特に、ソルビン酸とホウ酸を両方添加するのが好ましい。また、保存剤の添加形態としては、おからに含浸させるのが好ましい。
おからは水分を含ませた状態では比較的腐敗しやすいが、このように保存剤を添加すれば、数ヶ月腐らせずに保存することができる。
（消火剤、消火器の製造方法）
上記消火剤は、乾燥おからに、水、必要に応じて保存剤を混合することによって製造できる。
【００１７】
消火器１０は、この保存剤を袋１１に収納して封口することによって製造できる。
（消火器１０の使用方法及び効果について）
上記構成の消火器１０は、消火剤が袋１１内に密封されているので、保存中に水分が失われることがない。
【００１８】
そして消火器１０を使用するときには、消火剤を袋１１からとり出して燃焼物に投入してもよいが、袋ごと投入しても、袋１１が破れて中の消火剤が広がるので、袋ごと燃焼物に投入する方が使いやすい。
このように投入された消火剤は燃焼物を覆うように広がり、おからに含まれている水分が蒸発するのに伴って燃焼物から気化熱を奪うので、燃焼物が冷却される。また燃焼物が消火剤や蒸発した水蒸気で覆わることによって空気から遮断される。このような消化剤による冷却作用並びに空気遮断作用によっても消火がなされる。
【００１９】
また、油火災の場合、高温の油に水を単独で投入した場合は、油が飛散するが、本消火剤の場合おからに含まれている水分が蒸発するときには油が飛散したりしない。これは、おからが親油性と親水性の両方を持っているためと考えられる。すなわち、水分を含むおからが油に投入されると、油がおからに吸収されていくので、油が飛散したり周囲に広がったりするのが抑えられる。
【００２０】
また、消火剤の原料であるおからは、食品としても用いられ、人体に無害である。また、食品加工廃棄物でもあるため、安価であるとともに、資源の有効利用が図られる。
また、消火器１０は、従来の一般的な消火器と比べて、極めて構成が簡単であり、製造も容易である。
次に、消火器１０をてんぷら油火災に用いる具体例について説明する。
【００２１】
図２に示すように、てんぷら油入りのてんぷら鍋２０をガスコンロ２１で加熱して、てんぷらなどを揚げるときに、ガスコンロ２１の加熱によっててんぷら鍋２０の油が発火点以上になって、てんぷら鍋２０から火炎２２が上がることがある。
このように、火炎２２が上がったてんぷら鍋２０に、消火器１０を投げ入れる。
上記のように袋１１は全体が可燃性フィルム或は熱溶融性フィルム でできているので、消火器１０が燃焼物に投入されると、袋１１が破れて、中の消火剤が袋１１の外に出て、てんぷら鍋２０の油表面上に広がる。そして、消火剤中の水分が蒸発するのに伴って燃焼物から気化熱を奪うので、燃焼物が冷却される。またてんぷら鍋２０内の油の表面が、消火剤や蒸発した水蒸気で覆わることによって、油が空気から遮断される。このような消化剤による冷却作用によって、油がその発火点未満の温度まで冷却されれば消火される。また、空気遮断作用によっても消火がなされる。
【００２２】
またてんぷら鍋２０内の油が消火剤に吸収されるので、鎮火後の後処理も容易にできる。特に、大量の消火剤あるいは乾燥おからを用いれば、てんぷら鍋２０内の油は全部消火剤に吸収されるので容易に後始末をすることができる。
実際に、消火器１０をてんぷら油火災に用いて消火実験したところ、投入後２〜３秒で鎮火された。
【００２３】
なお、このような消火器１０は、てんぷら油以外の火災に用いる場合でも同様に、消火剤が燃焼物の近くで広がることによって、消火剤に含まれている水分が蒸発し、消火作用を奏する。
例えば、消火器１０を灯油火災に用いて消火実験したところ、投入後３０秒〜１分で鎮火された。
【００２４】
（本実施形態の変形例）
上記説明では、消火剤をフィルムからなる袋に充填した消火器１０を示したが、消火剤を収納する容器は、袋に限られず、消火剤を収納可能で使用時に消火剤を容器外に取り出せるものであればよい。
例えば、上記消火剤を、使い捨て用のコップに充填し、当該コップの開口部を可燃性フィルム或は熱溶融性フィルムで封口することによって消火器１０構成してもよく、この場合、消火器１０の封口を破って消火剤を燃焼物（てんぷら鍋）に投入すれば同様の消火効果を奏する。或は、消火器１０を丸ごと燃焼物に投入しても、フィルムが破れて消火剤が流れ出るので、同様の効果を奏する。
【００２５】
あるいは、上記消火剤を蓋付のプラスチック容器中に保管しておいて、使用時には蓋をあけて消火剤だけを取り出して燃焼物に投入してもよい。
また、上記の消火剤は、大規模な油火災を消火する場合にも利用できる。例えば、上記消火剤を袋詰めしてヘリコプターに搭載し、火災現場の上空から散布することによって消火することができる。
【００２６】
（縦型構造物火災に適した形態）
以上、油火災に適した形態について説明したが、以下では、縦型構造物火災に適した縣濁液形態の消火剤について説明する。
柱や壁を持つ住宅をはじめとする縦型構造物の火災を消火する消火剤としては、乾燥おからの粒子は細かい方がよく（50〜150メッシュ）、おからに対する水の混合比を大きく設定して、おからを水に縣濁させた縣濁液を消火剤として縦型構造物に放射することが望ましい。
【００２７】
この縣濁液において、おからと水の混合比は1：20〜1：100が好ましい。更に、でんぷん、糖質など（以下でんぷん等という）も縣濁または溶解させておくと、燃えている縦型構造物に縣濁液を放射したときに、おから粒子が対象物に吸着しやすい性質（付着性）をもたせることができる。でんぷん等を添加する場合、水に対してでんぷん等を０．０１〜１．０％程度添加すればよい。
【００２８】
なお、でんぷんや糖質はそのままでは接着性を有しないが、高温の燃焼対象物に放射されると、その熱で接着性が出来るので、あらかじめ糊状にしておく必要はない。
このタイプの消火剤は、使用時に縣濁液形態とすればよく、保存時においては、例えば、乾燥おから100に対してでんぷん等を1〜10の割合で混合した混合物としてポリエチレン製袋等に入れて保存しておき、使用時に水を加えることによって上記のような縣濁液とし、これを燃焼物に放射すればよい。
【００２９】
放射された縣濁液が対象物に付着すると、油火災の場合と同様に、消火剤中の水分が蒸発するのに伴って対象物から気化熱を奪うので、燃焼物が冷却されて消火される。また、その難燃性故に対象物の再燃が抑制される。
このような消火剤は、水源の水が少ない場所などにおいて、縦型構造物を消火する場合には特に有効である。また、含有されているおからの粒子径が小さいので、現在使用されている消防ポンプで放射することも可能であるし、小規模な初期火災であればバケツあるいは柄杓等で燃焼物に散布することもできる。
〔実施の形態２〕
本実施形態では、おからを、防炎シート、防炎塗料に用いる例について説明する。
【００３０】
（１）シート基材の表面上に、乾燥おからに水あるいはホウ酸を加えた難燃剤を配設する形態
図２は、本実施形態にかかる防炎シートの分解図である。当図に示すように、防炎シート３０は、一対のシート基材３１，３２に、難燃剤層３３が挟まれて構成されている。  
シート基材３１，３２は、耐熱性を有するシート材であって、
その具体例としては、、さらし布、ポリアリレート、ポリエーテルサルフォン、ポリエーテルケトン、ポリエーテルエーテルケトン、ポリフェニレンスルフィド、ＰＥＴ樹脂、環状ポリオレフィン、ポリイミド、エポキシ樹脂、ノルボルネン樹脂、ポリエーテルイミドなどの耐熱性プラスチックからなる繊維やグラファイト繊維で形成されたシート材、ＦＲＰで形成されたシート材が挙げられる。
【００３１】
難燃剤層３３は、含水おからと糊材との混合物がシート状に成形されたものであって、糊材としては、でんぷんや化学接着材を用いることができる。
おからの乾燥重量１に対する水の含有量は（０．５〜４）であることが好ましい。
難燃剤層３３が腐敗するのを防止するために、おからにソルビン酸やホウ酸といった保存剤を添加することが好ましく、特に、保存剤をおからに含浸させることが好ましい。
【００３２】
なお、難燃剤層３３において、おからにホウ酸を添加する場合は、水の添加量は少なくても、あるいは水を添加しなくても難燃性となる。
上記の防炎シート３０は、乾燥おから（粉末）に糊剤と水を加えて混合して、この混合物を、シート基材３１状に層状に塗布した後、シート基材３２で覆うことによって防炎シート３０を製造することができる。
【００３３】
あるいは、上記の混合物を、シート基材３１，３２に挟み込んで、シート基材３１，３２の外側から加圧してシート状に成形することによって、もしくは加圧せずにシート状に成形することによっても、防炎シート３０を製造することができる。
（２）シートや繊維の中に難燃剤を含有させる形態
上記（１）では、乾燥おからに水あるいはホウ酸を加えた難燃剤を、シート基材の表面上に配設したが、この他に、乾燥おからにホウ酸を含浸させ、水分含有量を５％以下となるように乾燥してなる難燃剤を、耐熱性プラスチックからなるフィルム中に含有させて防炎シート３０を構成したり、耐熱性プラスチックからなる繊維中に含有させて防炎シート３０を構成してもよい。
【００３４】
耐熱性プラスチック中に含有させる難燃剤の量は、１０〜８０ｗｔ％が好ましく、５０ｗｔ％以下とすることがより好ましい。
このような防炎シート３０は、耐熱性プラスチックからなるフィルムや繊維中に、微粒子状のおからにホウ酸を含有させてなる難燃剤を練り込むことによって製造できる。
製造方法の具体例を挙げると、乾燥おからを細かく粉砕した微粒子にホウ酸を含浸させた難燃剤を、耐熱性プラスチック原料に混合し、その混合物をシート状に成形することによって、防炎シートを作製できる。
【００３５】
あるいは、上記混合物を繊維状に成形し、当該繊維を用いて不織布シートとすることによって、防炎シートを作製することもできる。
（防炎シートの効果）
防炎シート３０は（１）あるいは（２）の構成によって難燃性を有する。
【００３６】
すなわち、（１）の防炎シート３０では、難燃剤層３３に含まれているおから自体が燃えにくいが、それに水あるいはホウ酸が含まれていることで更に燃えにくくなる。シート基材３１，３２は、それ単独で炎であぶったときに燃えやすいものであっても、各シート基材３１，３２の内側面に難燃剤層３３が密着しているので、シート基材３１，３２の外側面を炎であぶってもシート基材３１，３２の温度はあまり上昇せず、従ってシート基材３１，３２は燃えにくい。
【００３７】
このような防炎効果は、難燃剤層３３の厚みが厚いほど大きくなるが、防炎シート３０の重量が大きくなる。また実際に防炎シート３０を使用する用途によっても難燃剤層３３の厚みは制限される。
防炎シート３０の防炎効果を確認する実験として、シート基材３１，３２としてさらし布を用い、難燃剤層３３として含水おからを厚さ５ｍｍ〜１ｃｍに成形したものを用いた防炎シート３０を作製して、バーナーの炎にさらした。その結果、防炎シート３０を長時間バーナーであぶっても燃えないことを確認した。
【００３８】
一方（２）の防炎シート３０においても、難燃剤が含まれていることによって、同様の効果を奏する。
（防炎シートの用途）
防炎シート３０の用途としては、例えば、消防士の防火服の素材として用いることができる。
【００３９】
また、消火用シートとしても利用できる。
（３）防炎塗料
乾燥おからもしくは乾燥おからを炭化させてなる粉末に、水あるいはホウ酸を加えた難燃剤を、バインダに分散させることによって、防炎塗料とすることができる。
バインダとしては、水性アクリル樹脂をはじめとして、一般的に塗料に用いられている樹脂を用いることができる。
【００４０】
このような防炎塗料をシート材に塗布すれば、上記難燃剤層３３と同様に、シート材に難燃性を付与することができる。
〔参考例〕
本実施形態では、おからを油吸収剤に用いる例について説明する。
乾燥おからは、油を吸収する性質があるので、水に浮いてる油（例えばタンカーから海上に流出した油）を吸着するのに適している。
【００４１】
粉末状の乾燥おからをそのまま油の上に散布してもよいし、油透過性の袋（例えば、お茶袋やだし袋に使用されているＰＥＴ樹脂製不織布など）に乾燥おからを詰めたものを、油上に投入してもよい。
あるいは、乾燥おからを所定の形状に成形したものを、油の上に散布してもよい。
このように、水上の油におからが投入されると、油がおからに吸収される。
【００４２】
そして、油を吸収したおからは水上に浮遊するので、容易に回収することができる。
また、油を吸収したおからは、固形状となっているので、後処理も容易である。
その他の使い方として、例えば、タンカーから海上に流出した油を回収した後に、乾燥おからを混ぜて処理してもよい。
あるいは、家庭でてんぷら廃油を処理するのに、廃油に乾燥おからを混ぜて吸収させれば、一般の家庭用ごみと同様に処理することができる。
【産業上の利用可能性】
【００４３】
本発明にかかる消火剤、消火器は、油火災の消火に適しており、家庭用消火器や消防に適用できる。また、本発明にかかる防炎シート、防炎繊維、防炎塗料は、防火服や消火用シートに利用できる。
【図面の簡単な説明】
【００４４】
【図１】実施の形態１にかかる消火剤を用いて油火災を消火する例を示す図である。
【図２】実施の形態２にかかる防炎シートの分解図である。
【符号の説明】
【００４５】
１０    消火器
１１    袋
３０    防炎シート
３１，３２  シート基材
３３    難燃剤層
【図１】
2006212346.tif 000003
【図２】
2006212346.tif 000004